(57)【特許請求の範囲】
【請求項１】
夫々異なる動作を指示する複数のアイテムを表示する表示部と、動きを検出する検出部と、を備え、前記アイテムを指定すると当該指定されたアイテムに対応する動作を行うシステムにおいて、
前記複数のアイテムのうち１つのアイテムはシャッタスピード又は絞りを指定するアイテムであり、
前記検出部は動きの速さを検出するものであり、
前記制御部は、前記シャッタスピード又は絞りを指定するアイテムが指定され、且つ、前記検出部が動きを検出したとき、前記表示部にシャッタスピード又は絞りを指定する選択情報を表示させ、
前記制御部は、前記シャッタスピード又は絞りを指定するアイテムが指定され、且つ、前記検出部が動きを検出したとき、前記検出された動きの速さがより速いほど、前記シャッタスピード又は絞りを指定する選択情報の中からより速いシャッタスピード又はより狭い絞り選択情報を示すことを特徴とするシステム。
【請求項２】
夫々異なる動作を指示する複数のアイテムを表示する表示部と、動きを検出する検出部と、を備え、前記アイテムを指定すると当該指定されたアイテムに対応する動作を行うシステムにおいて、
前記複数のアイテムのうち１つのアイテムはフレームレートを指定するアイテムであり、
前記検出部は動きの速さを検出するものであり、
前記制御部は、前記フレームレートを指定するアイテムが指定され、且つ、前記検出部が動きを検出したとき、前記表示部にフレームレートを指定する選択情報を表示させ、
前記制御部は、前記フレームレートを指定するアイテムが指定され、且つ、前記検出部が動きを検出したとき、前記検出された動きの速さがより速いほど、前記フレームレートを指定する選択情報の中からより速いフレームレート選択情報を示すことを特徴とするシステム。
【発明の詳細な説明】
【技術分野】
【０００１】
本発明は、夫々異なる動作を指示する複数のアイテムを表示するシステムに関する。
【背景技術】
【０００２】
今日における電子装置、例えばスマートフォン、タブレット端末、一部のデジタルカメラ、リスト端末装置又はメガネ型端末装置等には、画面上に複数のアイコンが表示されており、これらアイコンに対するタッチ、フリック、又は視線での指定操作に応じて、指定されたアイコンに対応するプログラムを実行する。
しかしながら、これらの電子装置においては、各アイコンは夫々異なるプログラムに対応しており、アイコンを指定することによって、そのアイコンに対応するプログラムの実行がスタートするだけであった。
【０００３】
そこで、より複雑な動作を実現するため、タッチだけでなく振り動作を併用する技術も提案されている。特許文献１には、タッチパネルと加速度センサとを備えたモバイル端末において、加速度センサにより、端末装置本体の動き、傾き又は加速度を検出し、画像表示（コンテンツ）を制御するものが記載されている。
特許文献１記載の技術は、端末装置の傾斜角度から、アイコン群の動きを制御し、ディスプレイに時々刻々移動するアイコンを表示する。すなわち、端末装置が水平に保たれている場合、ディスプレイ中央付近に表示されているアイコンが示すコンテンツをディスプレイに表示するものである。従って、ユーザは所望のアイコンが画面に現れるまで端末装置を前後左右方向に傾斜し、所望のアイコンが画面中心付近に表示されたときに端末装置を水平に保つことにより、情報を検索、閲覧することができるものである。
【０００４】
更に、特許文献２には、加速度センサを備えた画像表示装置において、端末装置本体の傾きを検知し、所定の操作をしながら端末装置本体を傾けた時にのみ表示の変更を行う技術が記載されている。すなわち、誤動作防止用にボタンを押しながら装置本体を水平位置から傾けたときにのみ、第１画像の人物画像から、同一人物の第２画像への表示変更を行うものである。
【先行技術文献】
【特許文献】
【０００５】
【特許文献１】特開２００２−１４９６１６号公報
【特許文献２】特開２０１０−１８１５５６号公報
【発明の概要】
【発明が解決しようとする課題】
【０００６】
しかしながら、特許文献１、２記載の技術にあっては、装置の動きに対応して実現できる動作が限られるという課題があった。
【０００７】
本発明は、かかる従来の課題に鑑みてなされたものであり、装置の動きに応じて、複数の動作を実現することができるシステムを提供することを目的とするものである。
【課題を解決するための手段】
【０００８】
本発明の一態様は、
夫々異なる動作を指示する複数のアイテムを表示する表示部と、動きを検出する検出部と、を備え、前記アイテムを指定すると当該指定されたアイテムに対応する動作を行うシステムにおいて、
前記複数のアイテムのうち１つのアイテムはシャッタスピード又は絞りを指定するアイテムであり、
前記検出部は動きの速さを検出するものであり、
前記制御部は、前記シャッタスピード又は絞りを指定するアイテムが指定され、且つ、前記検出部が動きを検出したとき、前記表示部にシャッタスピード又は絞りを指定する選択情報を表示させ、
前記制御部は、前記シャッタスピード又は絞りを指定するアイテムが指定され、且つ、前記検出部が動きを検出したとき、前記検出された動きの速さがより速いほど、前記シャッタスピード又は絞りを指定する選択情報の中からより速いシャッタスピード又はより狭い絞り選択情報を示すことを特徴とするシステムを提供するものである。
【０００９】
本発明の他の特徴は、本明細書、及び添付図面の記載により、明らかにする。
【発明の効果】
【００１０】
本発明によれば、夫々異なる動作を指示する複数のアイテムを選択的に指定することと、装置の動きを条件として、複数の動作を実現することができる。
【図面の簡単な説明】
【００１１】
【図１Ａ】本発明の第１の実施の形態の概観図。
【図１Ｂ】本発明の第１の実施の形態の他の表示例を示す図。
【図２Ａ】本発明の第２の実施の形態の概観図。
【図２Ｂ】本発明の第２の実施の形態の仮想表示を説明するための図。
【図３Ａ】本発明の第３の実施の形態の概観図。
【図３Ｂ】本発明の第３の実施の形態の概観図。
【図４】本発明の第１の実施の形態の回路構成を示すブロック図。
【図５】本発明の第１の実施の形態の表示状態を示す図。
【図６】本発明の第１の実施の形態の処理手順を示すフローチャート。
【図７】本発明の第１の実施の形態の変形例の処理手順を示すフローチャート。
【図８】本発明の第２の実施の形態の構成を示す概観図。
【図９Ａ】本発明の第２の実施の形態における表示例を示す図。
【図９Ｂ】本発明の第２の実施の形態における表示例を示す図。
【図９Ｃ】本発明の第２の実施の形態における表示例を示す図。
【図１０】本発明の第３の実施の形態の構成を示す概観図。
【図１１Ａ】本発明の第３の実施の形態における表示例を示す図。
【図１１Ｂ】本発明の第３の実施の形態における表示例を示す図。
【図１１Ｃ】本発明の第３の実施の形態における表示例を示す図。
【発明を実施するための形態】
【００１２】
図１Ａは、本発明の第１の実施の形態の概観図を示すものである。１は腕に装着するリスト端末装置である。表示部１０にはＡ〜Ｉで示している複数のアイコンIＣ１が表示されている。ＩＣＨ１はホームボタンである。７ａは操作スイッチである。
【００１３】
図１Ｂは、前記第１の実施の形態の他の表示例を示すものである。リスト端末装置１は色々な機能（モード）を有しており、例えばアイコン（Ａ）が時計モードを示すものであるとすると、アイコン（Ａ）をタッチすることによりリスト端末装置１は時計として機能する。時計モードのとき、図示するように最上部の行には、年を示す年アイテムＩ１０１、月を示す月アイテムＩ１０２、日を示す日アイテムＩ１０３が表示されており、中間の行には曜日を示す曜日アイテムＩ１０４が表示されており、最下部の行には、時を示す時アイテムＩ１０５と分を示す分アイテムＩ１０６（１２：２３）が表示されている。
【００１４】
図２Ａは本発明の第２の実施の形態の概観図を示すものである。１００はメガネ型情報機器であり、詳細な構造は後述する。図２Ｂは、第２の実施の形態において、仮想スクリーン２００にアイコンＩＣ２が表示されている状態を示す図である。ＩＣＨ２はホームボタンである。
【００１５】
図３Ａは本発明の第３の実施の形態の概観図を示すものである。３００はカメラシステムであり、撮像部３０１とモニタ部３０２が図３Ｂに示すように分離可能となっている。分離した場合はBluetooth（登録商標）等の無線で接続される。モニタ部３０２の表示部３２３にはアイコンＩＣ３が表示されている。ＩＣＨ３はホームボタンである。
【００１６】
以下、図面を参照しながら、本発明の複数の実施の形態について説明していく。なお、本明細書においてアイテムとは、アイコンを含み、また所定の動作を指定するための全ての電子的な表示を含み、操作メニューを含ものとする。すなわち図１Ａ、図２Ｂ、図３Ａ。図３Ｂに示すアイコンＩＣ１、ＩＣ２、ＩＣ３はアイテムである。また、１つのアイテム中に複数のメニューがある場合、各メニューのそれぞれに対応する表示もアイテムという。例えばカレンダ機能を示す表示はアイテムであり、カレンダ機能の中の年、月、日や時刻を示す表示もアイテムである。すなわち図１Ｂに示すＩ１０１〜Ｉ１０６はアイテムである。
【００１７】
＜第１の実施の形態＞
以下、本発明をリスト端末装置に実施した実施の形態について説明する。
＜構成＞
図４は、図１Ａ、図１Ｂに示した本発明の第１の実施の形態に係るリスト端末装置１の回路構成を示すブロック図である。同図に示すように、リスト端末装置１は、バス２を介して互いに接続された制御部３、ＲＡＭ（Ｒａｎｄｏｍ Ａｃｃｅｓｓ Ｍｅｍｏｒｙ）４、ＲＯＭ（Ｒｅａｄ Ｏｎｌｙ Ｍｅｍｏｒｙ）５、ＲＴＣ（Ｒｅａｌ−Ｔｉｍｅ Ｃｌｏｃｋ）６、入力部７、加速度計８、表示駆動部９、表示部１０、タッチパネル１１を含む。
【００１８】
制御部３は、ＣＰＵ（Ｃｅｎｔｒａｌ Ｐｒｏｃｅｓｓｉｎｇ Ｕｎｉｔ）およびその周辺回路で構成される。ＣＰＵは、ＲＡＭ４を作業用メモリとして使用しながら、ＲＯＭ５に予め格納されたプログラムを実行し、バス２を介して入力される周辺機器からのデータに対する演算、処理を行い、リスト端末装置１全体の動作を制御する。制御部３での演算処理結果は、表示駆動部９を介して表示部１０に出力され、ユーザは、処理結果を画像として見ることができ、処理結果に基づき次の操作を行うことができる。
【００１９】
表示部１０は、一般に液晶表示部から構成され、その表面には、タッチパネル１１が積層されている。ユーザは、キー入力をすることなく、タッチパネル１１を介し、表示部１０に表示されているアイコンやアイテムをタッチすることによって、制御部３へ種々のデータや指令を入力することができる。このタッチパネル１１には、種々のタイプ、例えば静電容量方式、抵抗膜方式、表面弾性波方式等を採用できる。
【００２０】
加速度計８は、３軸すなわち３次元加速度計から構成することが好ましく、図１Ａに示されるようなリスト端末装置１本体の３軸方向の加速度を検出する加速度センサー（図示せず）と、その加速度センサーの出力信号を増幅するアンプ（図示せず）と、その出力をデジタル信号に変換するＡ／Ｄ変換器（図示せず）とから構成され、この加速度計８からのデジタル出力に基づき、制御部３内でリスト端末装置１本体の傾斜角度、および加速度を演算することができる。
【００２１】
ＲＴＣ６は、現在時刻を計時する機能とともにカレンダ機能を有しており、バス２を介して現在の日付情報および時刻情報を制御部３へ供給し、図１Ｂに示されるようにカレンダーモードにあるリスト端末装置１の表示部１０に年、日付、曜日、時刻を表示できるようにしている。
【００２２】
入力部７は、ユーザ、すなわちこのリスト端末装置１を腕に装着している装着者がリスト端末装置１を操作するときに使用される、モード設定スイッチやメイン電源スイッチ等の複数の操作スイッチから構成されている。図１Ａ、図１Ｂにおいては代表して１つの操作スイッチ７ａを図示している。なお、これら操作スイッチの操作状態は、制御部３により逐次検出される。
【００２３】
表示駆動部９は、表示部１０を駆動するドライバ回路等で構成され、バス２を介して送られる制御部３からの指令に従い、表示部１０を駆動することにより、表示部１０に日付、現在時刻や各種情報を表示させるようになっている。
【００２４】
＜動作＞
次に図５を参照する。この図には、カレンダーモードになっているリスト端末装置１（初期の状態では、図５の（ａ）の状態にあるものとする）が示されている。図示するように最上部の行には、年アイテムＩ１０１、月アイテムＩ１０２、日アイテムＩ１０３が表示されており、中間の行には曜日アイテムＩ１０４が表示されており、最下部の行には、時アイテムＩ１０５と分アイテムＩ１０６（１２：２３）が表示されている。
【００２５】
この状態において、装着者の指１２により表示部１０の時アイテムＩ１０５又は分アイテムＩ１０６へのタッチがなされると、図６に示されるようなプログラムがスタートし、このとき時計表示（ステップＳ１００）により、リスト端末装置１の下段には１２：２３の表示がなされている。
【００２６】
次に、制御部３は、タッチパネル１１に対する走査に基づき、時アイテムＩ１０５又は分アイテムＩ１０６へのタッチが検出されたか否かを判断する（ステップＳ１０１）。検出されない場合には、ステップＳ１００に戻り依然と同じ時刻表示（１２：２３）を継続する。
【００２７】
時アイテムＩ１０５又は分アイテムＩ１０６へのタッチを検出した場合には、タイマーカウントをスタートさせる（ステップＳ１０２）。このタイマーカウントは、後述するリスト端末装置１の動きの測定を行う時間、例えば５秒を指定する処理である。引き続き、制御部３はタイマーがカウントアウトしたか否か、すなわち動き検出時間が経過したか否かを判断する（ステップＳ１０３）。リスト端末装置１の動きが検出されずに、所定の時間が経過してしまった場合（ステップＳ１０３；ＹＥＳ）には、ステップＳ１００へ戻り、そのとき時刻表示する。カウントアウトしなかった場合（ステップＳ１０３；ＮＯ）、ステップＳ１０４へ進む。
【００２８】
このステップＳ１０４では、図５のリスト端末装置１の本体が右に傾けられたか否かを判断する。判断がＹＥＳ（図５の（ｂ）の状態）であれば、分アイテムＩ１０６の変更が指示されたものと判断し、分アイテムＩ１０６（「２３」）を点滅させて分の修正モードに移行する（ステップＳ１０５）。
【００２９】
次に、リスト端末装置１の本体の手前への傾きが所定角度より大か否かを判断する（ステップＳ１０６）。すなわちリスト端末装置１の頂部部分がユーザ側に接近するように傾けられ、分アイテムＩ１０６へのタッチ時の初期角度から所定角度、例えば３０°以上傾けられている場合（ステップＳ１０３；ＹＥＳ）、分アイテムＩ１０６の表示値をインクリメントし続ける（ステップＳ１０７）。これにより分アイテムＩ１０６は、「２３→２４→２５」と変化する。このインクリメントは、リスト端末装置１の本体の元の角度への復帰によって完了し、表示される分アイテムＩ１０６は、「２５」に設定される。
【００３０】
ステップＳ１０６での判断が、ＮＯであれば、制御部３はステップＳ１０８に処理を進め、リスト端末装置１の本体が前方に所定角度以上から傾けられているか否かを判断する。すなわちリスト端末装置１の頂部部分がユーザから離間するように傾けられ分アイテムＩ１０６へのタッチ時の初期角度から所定角度、例えば３０°以上傾けられている場合、分アイテムＩ１０６の表示値をデクリメントし続ける。すなわち分は、２３→２２→２１と変化する。このデクリメントは、リスト端末装置１の本体の元の角度への復帰によって完了し、表示される「分」は、２１に設定される。
【００３１】
次に、判断ステップＳ１０４で、ＮＯの判断がされた場合、判断ステップＳ１１０に進み、リスト端末装置１が左に傾けられているか否かの判断がされる。ＹＥＳ（図２の（ｃ）の状態）であれば、「時」の変更が望まれていると判断し、時「１２」を点滅させて時の修正モードとなる（ステップＳ１１１）。
【００３２】
次に、判断ステップＳ１１２へ進み、リスト端末装置１が所定角度以上手前に傾けられているか否かの判断がされる。すなわちリスト端末装置１が手前側、すなわちリスト端末装置１の頂部部分がユーザ側に接近するように傾けられ、時アイテムＩ１０５へのタッチ時の初期角度から所定角度、例えば３０°以上傾けられている場合、「時」をインクリメントし続ける（ステップＳ１１３）。すなわち時は、「１２→１３→１４」と変化する。このインクリメントは、リスト端末装置１の本体の元の角度への復帰によって完了し、表示される「時」は、「１４」に設定される。
【００３３】
ステップＳ１１２での判断が、ＮＯであれば、制御部３はステップＳ１１４に処理を進め、リスト端末装置１の本体が前方に所定角度以上から傾けられているか否かを判断する。すなわちリスト端末装置１の頂部部分がユーザ側に離間するように傾けられ、時アイテムＩ１０５又は分アイテムＩ１０６へのタッチ時の初期角度から所定角度、例えば３０°以上傾けられている場合、時アイテムＩ１０５をデクリメントし続ける（ステップＳ１１５）。すなわち時は、「１２→１１→１０」と変化する。このデクリメントは、リスト端末装置１の本体の元の角度への復帰で完了し、表示される「時」は、「１０」に設定される。
【００３４】
このように、時アイテムＩ１０５と分アイテムＩ１０６の設定が完了すると、時計設定が終了（ステップＳ１１６）し、表示される「時」は、「１０」に設定され、タイムカウントアウト（ステップＳ１１７でＹＥＳ）であれば、このプログラムは、終了する。
【００３５】
つまり、リスト端末装置１本体の時アイテムＩ１０５又は分アイテムＩ１０６をタッチしながらリスト端末装置１の本体を傾けることにより、時刻又は分の表示修正をすることができ、元の姿勢に戻すことにより時刻又は分の設定が完了する。傾きの角度に応じてインクリメント、デクリメントの速度を変えてもよい。年、月についても同様である。
【００３６】
なお、図５は左右の傾きについて、リスト端末装置１の本体下部中央を中心にして上部を左右に傾けているように表現しているが、リスト端末装置１の本体を垂直方向の中心軸を中心に左側へ回転若しくは右側へ回転させてもよい。また、前後の傾きについてリスト端末装置１の本体の水平方向の中心軸を中心に前方若しくは手前に回転させてもよい。
【００３７】
本実施の形態では、リスト端末装置の左右の傾きに応じて、表示部１０内で左右に位置するアイテムを選択し、前後の傾きに応じインクリメント又はデクリメントを行うようにしたが、この方法とは異なりリスト端末装置の前後の傾きによってアイテムの選択を行い、左右の傾きに応じてインクリメント又はデクリメントをするようにしてもよい。
【００３８】
また、本実施の形態では、リスト端末装置１の前後の傾き角度が所定の角度を越えている間にインクリメント又はデクリメントを継続するようにしたが、前後方向又は左右方向に所定の加速度を越える振りが一回なされるごとにインクリメント又はデクリメントを一回行うようにしてもよい。
【００３９】
また、本実施の形態では、時アイテムＩ１０５又は分アイテムＩ１０６にタッチしてから所定時間に生じるリスト端末装置１の本体の動きを測定し、その動きの方向、大きさに応じて時間をインクリメントし（進め）たり、デクリメントし（遅らせ）たりしているが、タッチしている間に限り生じるリスト端末装置１の本体の動きに応答して、所定の表示（前記例では、時又は分）を変更するようにすることも可能である。このような作動により、リスト端末装置１の動きによって生じやすい誤動作が防止されることになる。
【００４０】
以上の説明では、時アイテムと分アイテムの表示変更に本発明を適用した場合を示したが、本発明は、図５において最上行に表示されている年、月、日の変更にも適用することがきる。すなわち。表示部に表示されている年、月、日の変更を示すアイコンを押しながら、端末本体を左右に傾け、年、月、日の選択を行い、その後、端末本体の前後への傾きにより、年、月、日の表示値を変更することもできる。
【００４１】
また、所定のアイコン（図示せず）や操作スイッチ７ａをタッチしながらリスト端末装置１本体を前後に傾けることにより、図５における上段の項目、中段の項目、下段のアイテムを順次移動するようにもできる。
【００４２】
また、次のように、傾きの度合いに応じて表示を変えていくことも可能である。
すなわち、アイテムは、日時分秒等の時刻データであり、分のアイテムにタッチしながら端末を前方に少し傾けると、「分」が１分プラスされる。分のアイテムにタッチしながら端末を手前に少し傾けると、「分」が１分マイナスされる。時のアイテムにタッチしながら端末を前方に大きく傾けると、「時」が１時間プラスされる。時のアイテムにタッチしながら端末を手前に大きく傾けると、「時」が１時間マイナスされる。タッチを離した時に設定が完了する。
【００４３】
又は、アイテムは時計（スケジュール）であり、時計のアイテムにタッチしながら、リスト端末装置１を前方に少し傾けると、「分」が１分プラスされる。リスト端末装置１を手前に少し傾けると、「分」が１分マイナスされる。時計のアイテムにタッチしながら、リスト端末装置１を前方に大きく傾けると、「時」が１時間プラスされる。端末を手前に大きく傾けると、「時」が１時間マイナスされる。
【００４４】
＜変形例＞
次に図７を参照して、本発明の第１の実施の形態の変形例について説明する。上記実施の形態と共通部分には共通の符号を使用し説明は省略する。
この図には、アプリ（アプリケーションプログラム）に対応するアイテムであるアイコンの削除を容易にする方法のフローチャートおよびフローチャート内のステップに対応するリスト端末装置１の表示部１０に表示されたアプリが示されている。図７の（ａ）に示すように、ステップＳ２００に従い、リスト端末装置１の表示部１０上に４つのアプリのアイコン（Ａ）、（Ｂ）、（Ｃ）、（Ｄ）が表示されている。
【００４５】
この状態において制御部３は、タッチパネル１１へのタッチがされているか否かを判断する（ステップＳ２０１）。ステップＳ２０１で側部において図７の（ｃ）に示すように、アイコン（Ｃ）へタッチがされていれば（ステップＳ２０１；ＹＥＳ）、ステップＳ２０２に進み、リスト端末装置１がいずれかの方向に動いたか否かを判断する。いずれの方向にも動いていなければ（ステップＳ２０２；ＮＯ）、もとのアプリ表示ステップＳ２００に戻る（図７の（ｂ））。
【００４６】
判断ステップＳ２０２での判断結果がＹＥＳであれば、ステップＳ２０３に進み、ここでリスト端末装置１本体の動きが所定の大きさ、例えば所定の加速度又は所定の距離以上であるか否かを判断する。この傾き検出あるいは動き検出の仕組みは第１の実施の形態と同様である。所定の大きさ以上であれば（ステップＳ２０３；ＹＥＳ）、タッチされているアイコン（Ｃ）を表示部１０から削除し、削除した場所にアイコン（Ｄ）を移動する。また、これにより空いたスペースに新たなアイコン（Ｅ）を追加する（ステップＳ２０４）。これにより、図７の（ｄ）に示すように、表示部１０にはアイコン（Ａ）（Ｂ）（Ｄ）（Ｅ）が表示されることとなる。また、リスト端末装置１本体の動きが所定の大きさでなければ（ステップＳ２０３；ＮＯ）、ステップＳ２００に戻り、よって元のアプリ表示が維持される。
【００４７】
前記方法では、タッチされているアイコン（Ｃ）をリスト端末装置１の動きに応じて、削除したが、これとは異なり、タッチされているアイコン（Ｃ）を残し、リスト端末装置１の動きに応じてタッチされていないアイコン（Ａ）、（Ｂ）、（Ｄ）を削除するようにしてもよい。この場合において、削除するアイコンは、表示部１０の下方に落下しながら消去されるようにしてもよい。
【００４８】
以上で、リスト端末装置を参照して本発明について説明したが、本発明はリスト端末装置だけに使用されるものではなく、表示部と、タッチセンサパネルと、装置本体の動きを検出する手段とを備えた種々の端末装置、例えばスマートフォン、パーソナルデジタルアシスタント（ＰＤＡ）、タブレット端末、電子辞書、デジタルブック、デジタルカメラ、ゲーム機等にも使用できることは当然である。
【００４９】
また、前記リスト端末装置１は、単独で使用されていたが、他のデバイス、例えばスマートフォンとのデータ通信が可能なペアの端末装置の１つとして使用することも可能である。このような端末装置においては、Ｗｉ−Ｆｉとの接続オン／オフモード、機内モードのオン／オフ、壁紙や待ち受け画面の選択等、多数の機能がある。これを所定のアイコンをタッチしながらリスト端末装置１の本体を傾けることにより、Ｗｉ−Ｆｉとの接続オン／オフモード、機内モードのオン／オフを切り替えることができる。また、壁紙や待ち受け画面、写真やフォルダの検索においても、フォルダのアイコンをタッチしながらリスト端末装置１を傾けることにより、複数の写真を撮影順、名前順、撮影地順等で順次表示させていくことができる。
【００５０】
また、他の実施の形態として後述するが、メガネ型情報端末機器又はヘッドマウント端末装置等のウェアラブル端末装置において、視線の動きにより、表示部内の特定画像領域を操作しながら、又は操作した後で頭部を左右又は前後に傾けたり、振ることにより特定の画像領域に対応する画像の内容を制御したりすることも可能である。これらタイプのウェアラブル端末装置を使用する場合、装着者の両手を端末装置の操作のために自由に使用できないことが多いので、本発明のように装着者の動作に連動する端末装置の動きに応答して、表示画像を制御で特に有利である。
【００５１】
＜第２の実施の形態＞
上記第１の実施の形態は本発明をリスト型端末装置に適用したが、次に、本発明をメガネ型情報機器に適用した実施の形態について説明する。
＜構成＞
図２Ａは本実施の形態のメガネ型情報機器１００の概略構成を示す外観図である。大きく分けて、本体部１００Ａ、蔓（つる）部１００Ｂ、耳かけ部１００Ｃからなる。本体部１００Ａにはカメラ部１１６、センサ部１２２、ＧＰＳ１２４、ＧＰＳアンテナ１２５、投影部１３４、スクリーン１３６、マイク部１３８が配置される。蔓部１００Ｂには、タッチパッドからなる操作部１４２が配置される。ノートパソコンのタッチパッドやスマートフォンのタッチパネルのような操作を指ですることができる。耳かけ部１００Ｃには、Ｉ／Ｏ部１４８が配置され、図３Ａでは図示しないＣＰＵ１１０、時計部１２６、メモリ部１４０、制御部１５０が内蔵される。
【００５２】
図８はメガネ型情報機器１００の内部回路の全体構成を示すブロック図である。１１０はＣＰＵであり、プログラムメモリ１１２に記憶されたプログラムを、ワークメモリ１１４を使用しながら実行することにより全体を制御する。プログラムメモリ１１２は、ＯＳや各種アプリケーションプログラムを記憶する。１１６はＣＣＤやＣＭＯＳ等の撮像素子を含む撮像部であり、撮像制御部１１８によって制御されて、この撮像部１１６で撮像した静止画又は動画の画像は画像メモリ１２０に記憶される。１２２はセンサ部であり、３軸加速度センサ、振動センサ、温度センサ等の各種センサを備え、メガネ型情報機器１００の揺れや動きをはじめ、様々な状態を検知する。１２４はＧＰＳアンテナ１２５を含むＧＰＳ（Ｇｌｏｂａｌ  Ｐｏｓｉｔｉｏｎｉｎｇ  Ｓｙｓｔｅｍ）であり、位置情報を検出する。１２６は時計部であり、日付や時分秒を計測する。１２８は、これらセンサ部１２２、ＧＰＳ１２４、時計部１２６を制御し、各種情報を収集するセンサ制御部であり、収集した各種情報はセンサメモリ１３０に記憶される。
【００５３】
１３２は表示制御部であり、ＣＰＵ１１０によって作成された表示データを、投影部１３４により、スクリーン１３６に投影させる。スクリーン１３６は目の直前に配置される。スクリーン１３６に目の前で映し出される映像は小さなものだが、図２Ｂに概念図を示したように、仮想スクリーン２００として大きく見ることができる。
【００５４】
１３８は音声を入力するためのマイク部で、１３９はマイク制御部である。音声入力による指示が可能となっている。また、１４２は図２Ａに示したようにタッチパッドからなる操作部であり、この操作部１４２の操作信号は入力制御部１４４により取り込まれる。１４６は通信制御部であり、Ｗｉ-ＦｉやBluetooth（登録商標）によりスマートフォンやインターネットとの無線接続が可能である。１４８はＩ／Ｏ部であり、通信制御部１４６に制御され、ＵＳＢケーブルやメモリカードとの有線接続が可能である。この通信制御部１４６を介してサーバや他の情報機器と各種データ交換をしたり、アプリケーションプログラムのインストールをしたりすることができる。
【００５５】
プログラムメモリ１１２、ワークメモリ１１４、画像メモリ１２０、センサメモリ１３０をまとめてメモリ部１４０と称する。撮像制御部１１８、センサ制御部１２８、表示制御部１３２、入力制御部１４４、マイク制御部１３９、通信制御部１４６をまとめて制御部１５０と称する。
【００５６】
１６０は、ユーザの視線を検知する視線検知部である。ユーザが仮想スクリーン２００のどの位置を見ているかを検出するものである。すなわち、ユーザがどこを見ているのか判断するために、赤外線カメラで目を撮影し、目の動きを検出する。目の動きは、目の動かない部分（基準点）と動く部分（動点）を検出し、基準点に対する動点の位置に基づいて、視線を検出する。視線を検出する技術自体は公知であるので詳述はしない。
【００５７】
＜動作＞
ここで、ユーザがメガネ型情報機器１００を装着して体を動かすと、センサ部１２２とセンサ制御部１２８で動きを検出する。アイコン（Ｂ）が歩数アイコンであるとすると、ユーザがアイコン（Ｂ）を見ながら歩くと歩数を検出し、図９Ａに例示するように歩数を示す歩数アイテムＩ２０１を表示する。ちなみにアイコン（Ｂ）を５秒間見つめると図９Ａの表示モードに移行する。図９Ａにおいてアイコン（Ｂ）を見続けている間、歩数アイテムＩ２０１の表示を継続し、視線をそらすとホーム画面表示に戻る。
【００５８】
また、アイコン（Ｃ）が速度アイコンであるとすると、ユーザがアイコン（Ｃ）を見ながらジョギングすると時速を検出し、図９Ｂに例示するように時速を示す時速アイテムＩ２０２を表示する。ちなみにアイコン（Ｂ）を５秒間見つめると図９Ｂの表示モードに移行する。図９Ｂにおいてアイコン（Ｃ）を見続けている間、時速アイテムＩ２０２の表示を継続し、視線をそらすとホーム画面表示に戻る。
【００５９】
他にも、アイコン（Ｄ）が音楽アイコンであるとすると、アイコン（Ｄ）を見続けていると視線を検出して、図９Ｃに例示するように音楽再生モードとなり、縦方向に曲名を示す曲名アイテムＩ２０３が曲名１、曲名２、曲名３、・・・曲名Ｎと表示され、頭部を上下に動かすことで、その動きを検出して、選択される曲名アイテムＩ２０３を上下にスクロールして選択できる。
また、画面左方向がボリューム小を示し、画面右方向がボリューム大を示す場合はボリュームアイテムＩ２０４を表示することによって、頭部を左に振れば、その動きを検出してボリュームが下がり、頭部を右に振ればその動きを検出して、ボリュームが上がる。ボリュームではなく曲の順送り、逆送りを行ってもよい。
【００６０】
これらは例であるが、このようにして、視線によるアイコンの指定とセンサの検出結果に応じてモードやアイテムの表示を変化させることができる。従って、ユーザはジョギング等の運動をしながら、体の動きなどの情報を得たり、モードの変更をしたりすることができる。
＜第３の実施の形態＞
【００６１】
＜構成＞
図１０は、図３Ａ、図３Ｂに示す第３の実施の形態におけるカメラシステム３００における撮像部３０１とモニタ部３０２の内部構成の概略を示すブロック図である。
撮像部３０１において、３１１はレンズ、ＣＣＤやＣＭＯＳ等の撮像素子、電子シャッタ、タイミング制御回路、ズーム機構や手ぶれ補正機構等を含む撮像デバイスである。３１２は撮像デバイス３１１により撮像された静止画、連写画像、動画等を記憶する記憶部である。ワークメモリとしても使用される。３１３はモニタ部３０２と無線で連携を取る通信制御部である。採用する通信技術はBluetooth（登録商標）に限らずＷｉ-Ｆｉ（登録商標）や赤外線等でも良い。また、一旦スマートフォン等を中継してインターネットに接続することも可能である。３１０は、撮像部３０１全体を制御するＣＰＵとプログラムを含む制御部である。３１４は、後述する各種センサを含むセンサ部である。
【００６２】
モニタ部３０２において、３２１は撮像部１と無線で連携を取る通信制御部である。３２２は撮像部３０１で撮像され通信制御部３１３、３２１を介して送られてきた静止画、連写画像、動画等を記憶する記憶部である。ワークメモリとしても使用される。３２３は撮像部３０１から送られてきた画像、記憶部３２２に記憶された画像、その他メニュー等を表示する表示部である。タッチパネルと一体形成されていても良い。３２４は、各種操作入力を行う操作部である。前記タッチパネルで兼用することもできる。３２０は、モニタ部３０２全体を制御するＣＰＵとプログラムを含む制御部である。３２５は、後述する各種センサを含むセンサ部である。
【００６３】
ここで、センサ部３１４、センサ部３２５について説明する。このカメラシステム３００は複数のセンサを搭載しており、センサのセンシング結果に応じて撮像部３０１によりオート撮影を実行させるものである。センサ部３１４、センサ部３２５に含まれるセンサは同じものでも良く異なっていても良いし、いずれか一方にあっても良い。ただしモニタ部３０２の表示と、離れたところにある撮像部３０１の動きを連動させることが本実施の形態の目的であるので、センサ部３１４は本実施の形態においては必須である。
【００６４】
センサ部３２５又は３１４に含まれるセンサは、特にモニタ部３０２の置かれている状況を測定するためのものであり、速度センサ、加速度センサ、ジャイロセンサ（角速度センサ）、高度センサ、ＧＰＳ（位置検出）、時計（時間検出）、歩数センサ（歩数検出）、マイク（音声検出）、気圧センサ、温度センサを含む。もちろんこれらに限定されるものではない。
【００６５】
これらのセンサのセンシング結果に応じて撮像部３０１のシャッタタイミングを認識するものであり、この認識手段はモニタ部３０２の制御部３２０が担っても良いし、撮像部３０１の制御部３１０が担っても良い。すなわち、モニタ部３０２の制御部３２０が担う場合は、モニタ部３０２内で制御部３２０がシャッタタイミングを認識し、シャッタタイミングであることを制御信号として撮像部３０１へ送る。また、撮像部３０１の制御部３１０が担う場合は、モニタ部３０２からセンシング信号を制御信号として送られてきて、撮像部３０１内で制御部３１０がシャッタタイミングを認識し撮像処理を実行する。
【００６６】
＜動作＞
このようなカメラシステム３００において、コントローラ部３０２の表示部３２３に表示されるアイコンをタッチしながら撮像部３０１のセンサ部３１４のセンシング結果に応じてモードの変更や表示の変更を行う例について説明する。
【００６７】
図１１Ａは表示部３２３のアイコン（Ｅ）がシャッタスピードを指定するアイコンである場合を例示するものであり、アイコン（Ｅ）のタッチを維持していると、撮像部３０１内のセンサ部３１４が動きを検出し、センシング結果に応じて撮影モードと表示部３２３の表示を変化させる。
図３Ｂの表示状態のときに、アイコン（Ｅ）をタッチすると同図１１Ａに示すようにシャッタスピード設定モードとなり、シャッタスピードアイテムＩ２１１を１／３０〜１／５０００まで表示する。同図１１Ａの表示状態でアイコン（Ｅ）のタッチを維持しているときに、撮像部３０１のセンサ部３１４が動きを検出し、動きが速いほど選択されるシャッタスピードアイテムＩ２１１が図面下方へ移動し、動きが遅いほど図面上方へ移動する。従って、あるタイミングで静止画、又は連写画像を撮影すると、そのタイミングで選択されていたシャッタスピードで撮影することになり、撮像部３０１が速く動いているときはより速いシャッタスピードで撮影し、動きが遅いときはより遅いシャッタスピードで撮影することができる。
【００６８】
図１１Ｂは表示部３２３のアイコン（Ｆ）が絞りを指定するアイコンである場合を例示するものであり、アイコン（Ｆ）のタッチを維持していると、撮像部３０１内のセンサ部３１４が動きを検出し、センシング結果に応じて撮影モードと表示部３２３の表示を変化させる。
図３Ｂの表示状態のときに、アイコン（Ｆ）をタッチすると同図１１Ｂに示すように絞り設定モードとなり、絞りアイテムＩ２１２をＦ２．８〜Ｆ１６．０まで表示する。同図１１Ｂの表示状態でアイコンＦのタッチを維持しているときに、撮像部３０１のセンサ部３１４が動きを検出し、動きが速いほど絞りを選択される絞りアイテムＩ２１２が図面下方へ移動し、動きが遅いほど図面上方へ移動する。従って、あるタイミングで静止画、又は連写画像を撮影すると、そのタイミングで選択されていた絞りで撮影することになり、撮像部３０１が速く動いているときは絞りをより絞った状態で撮影し、動きが遅いときは絞りをより開放した状態で撮影することができる。
【００６９】
図１１Ｃは表示部３２３のアイコン（Ｇ）がフレームレートを指定するアイコンである場合を例示するものであり、アイコン（Ｇ）のタッチを維持していると、撮像部３０１内のセンサ部３１４が動きを検出し、センシング結果に応じて撮影モードと表示部３２３の表示を変化させる。
図３Ｂの表示状態のときに、アイコン（Ｇ）をタッチすると同図１１Ｃに示すようにフレームレート設定モードとなり、フレームレートアイテムＩ２１３を１ＦＰＳ〜６０ＦＰＳまで表示する。同図１１Ｃの表示状態でアイコン（Ｇ）のタッチを維持しているときに、撮像部３０１のセンサ部３１４が動きを検出し、動きが速いほど選択されるフレームレートアイテムＩ２１３が図面下方へ移動し、動きが遅いほど図面上方へ移動する。従って、あるタイミングで連写画像又は動画を撮影すると、そのタイミングで選択されていたフレームレートで撮影することになり、撮像部３０１が速く動いているときは、より高いフレームレートで、動きが遅いときは、より低いフレームレートで撮影することができる。
【００７０】
以上、この発明の実施の形態について説明したが、この発明はこれらに限定されるものではなく、特許請求の範囲に記載された発明とその均等の範囲を含むものである。
以下に、本願出願時の特許請求の範囲を付記する。
【００７１】
［請求項１］
夫々異なる動作を指示する複数のアイテムを表示する表示部と、
動きを検出する検出部と、
を備え、
前記アイテムを指定すると当該指定されたアイテムに対応する動作を行う電子装置において、
前記複数のアイテムのうちいずれかを指定し且つ前記検出部が動きを検出することを条件として、当該指定されたアイテムの表示又は該アイテムに関連する表示を変化させ、他のアイテムを指定し且つ前記検出部が動きを検出することを条件として、当該指定された他のアイテムの表示又は該他のアイテムに関連する表示を変化させる制御部と、
を具備することを特徴とする電子装置。
［請求項２］
前記制御部は、前記複数のアイテムのうちいずれかを指定し且つ前記検出部が動きを検出することを条件として、当該指定されたアイテムの表示又は該アイテムに関連する表示を前記検出部の検出結果に応じて変化させ、他のアイテムを指定し且つ前記検出部が動きを検出することを条件として、当該指定された他のアイテムの表示又は該他のアイテムに関連する表示を前記検出部の検出結果に応じて変化させることを特徴とする請求項１記載の電子装置。
［請求項３］
前記アイテムに対する視線を検出して、アイテムを指定する条件とすることを特徴とする請求項１又は２記載の電子装置。
［請求項４］
前記アイテムに対する継続指定を検出して、アイテムを指定する条件とすることを特徴とする請求項１又は２記載の電子装置。
［請求項５］
前記アイテムに対する複数回指定を検出して、アイテムを指定する条件とすることを特徴とする請求項１又は２記載の電子装置。
［請求項６］
前記検出部は、傾き角度又は傾き方向又は傾き速度の少なくとも１つを検出することを特徴とする請求項１乃至５いずれか記載の電子装置。
［請求項７］
夫々異なる動作を指示する複数のアイテムを表示する表示部と、
視線の動きを検出する検出部と、
を備え、
前記アイテムを指定し且つ前記検出部が視線の動きを検出することを条件として、当該指定されたアイテムの表示又は該他のアイテムに関連する表示を変化させる
ことを特徴とする電子装置。
［請求項８］
タッチを検出する第１の検出手段を備え複数のアイテムを表示する表示部と、
前記表示部が設けられた装置本体の状態変化を検出する第２の検出手段と、
前記両検出手段により、いずれかのアイテムへのタッチが検出され、かつ、前記装置本体の状態変化が検出されたことを条件として、当該タッチが検出されたアイテムを表示変化させる制御手段と
を具備することを特徴とする電子装置。
［請求項９］
前記アイテムは、カレンダ表示を構成する要素であって、年月日、時刻を含み、前記制御手段は、年月日のアイテムへのタッチが検出され、かつ、前記装置本体の傾きが検出された時には、年月日の表示修正を行い、時刻のアイテムへのタッチが検出され、かつ、装置本体の傾きが検出された時には、時刻の表示修正を行うことを特徴とする請求項８記載の電子装置。
［請求項１０］
夫々異なる動作を指示する複数のアイテムを表示する表示部と、動きを検出する検出部と、を備え、前記アイテムを指定すると当該指定されたアイテムに対応する動作を行うシステムにおいて、
前記複数のアイテムのうちいずれかを指定し且つ前記検出部が動きを検出することを条件として、当該指定されたアイテムに対応する動作を変化させ、他のアイテムを指定し且つ前記検出部が動きを検出することを条件として、当該指定された他のアイテムに対応する動作を変化させる制御部と、
を具備することを特徴とするシステム。
［請求項１１］
請求項１０記載のシステムにおいて、
前記制御部は、前記アイテムのうちいずれかを指定し且つ前記検出部が動きを検出することを条件として、当該指定されたアイテムに関連するモードに移行させ、他のアイテムを指定し且つ前記検出部が動きを検出することを条件として、当該指定された他のアイテムに関連するモードに移行させることを特徴とするシステム。
［請求項１２］
請求項１０記載のシステムにおいて、
第１の筐体と、該第１の筐体とは物理的に分離され無線で接続される第２の筐体とを含み、
前記表示部は前記第１の筐体に収容され、
前記検出部は前記第２の筐体に収容される、
ことを特徴とする。
［請求項１３］
請求項１２記載のシステムにおいて、
更に前記第２の筐体は撮像部を備え、
前記制御部は、前記アイテムを指定し且つ前記検出部が動きを検出することを条件として、当該指定されたアイテムに関連する撮影モードに移行させることを特徴とする。
［請求項１４］
請求項１３記載のシステムにおいて、
前記複数のアイテムのうち１つのアイテムはシャッタスピード又は絞りを指定するアイテムであり、
前記検出部は動きの速さを検出するものであり、
前記制御部は、前記シャッタスピード又は絞りを指定するアイテムが指定され、且つ、前記検出部が動きを検出したとき、前記表示部にシャッタスピード又は絞りを指定する選択情報を表示させ、
前記制御部は、前記シャッタスピード又は絞りを指定するアイテムが指定され、且つ、前記検出部が動きを検出したとき、前記検出された動きの速さがより速いほど、前記シャッタスピード又は絞りを指定する選択情報の中からより速いシャッタスピード又はより狭い絞り選択情報を示すことを特徴とする。
［請求項１５］
請求項１３記載のシステムにおいて、
前記複数のアイテムのうち１つのアイテムはフレームレートを指定するアイテムであり、
前記検出部は動きの速さを検出するものであり、
前記制御部は、前記フレームレートを指定するアイテムが指定され、且つ、前記検出部が動きを検出したとき、前記表示部にフレームレートを指定する選択情報を表示させ、
前記制御部は、前記フレームレートを指定するアイテムが指定され、且つ、前記検出部が動きを検出したとき、前記検出された動きの速さがより速いほど、前記フレームレートを指定する選択情報の中からより速いフレームレート選択情報を示すことを特徴とする。
［請求項１６］
夫々異なる動作を指示する複数のアイテムを表示する表示部と、動きを検出する検出部と、を備え、前記アイテムを指定すると当該指定されたアイテムに対応する動作を行う電子装置が実行する方法であって、
前記複数のアイテムのうちいずれかを指定し且つ前記検出部が動きを検出することを条件として、当該指定されたアイテムの表示又は該アイテムに関連する表示を変化させる工程と、
他のアイテムを指定し且つ前記検出部が動きを検出することを条件として、当該指定された他のアイテムの表示又は該他のアイテムに関連する表示を変化させる工程と、
を含む方法。
［請求項１７］
夫々異なる動作を指示する複数のアイテムを表示する表示部と、動きを検出する検出部と、を備え、前記アイテムを指定すると当該指定されたアイテムに対応する動作を行う電子装置が実行する方法であって、
前記複数のアイテムのうちいずれかを指定し且つ前記検出部が動きを検出することを条件として、当該指定されたアイテムに関連するモードに移行させる工程と、
他のアイテムを指定し且つ前記検出部が動きを検出することを条件として、当該指定された他のアイテムに関連するモードに移行させる工程と、
を含む方法。
［請求項１８］
電子装置のＣＰＵを、
夫々異なる動作を指示する複数のアイテムを表示する表示手段と、
動きを検出する検出手段と、
前記アイテムを指定する指定手段と、
前記アイテムを指定すると当該指定されたアイテムに対応する動作を行う実行手段と、
前記指定手段が前記複数のアイテムのうちいずれかを指定し、且つ前記検出手段が動きを検出することを条件として、当該指定されたアイテムの表示又は該アイテムに関連する表示を変化させ、他のアイテムを指定し且つ前記検出手段が動きを検出することを条件として、当該指定された他のアイテムの表示又は該他のアイテムに関連する表示を変化させる制御手段と、
して機能させることを特徴とするプログラム。
【００７２】
更に原出願の特許請求の範囲を付記する。
＜付記＞
［請求項１］
タッチを検出する第１の検出手段を備え複数のアイテムを表示する表示部と、
前記表示部が設けられた装置本体の状態変化を検出する第２の検出手段と、
前記両検出手段により、いずれかのアイテムへのタッチが検出され、かつ、前記装置本体の状態変化が検出されたことを条件として、当該タッチが検出されたアイテムを表示変化させる制御手段と
を具備することを特徴とする電子装置。
［請求項２］
前記第２の検出手段は、傾き角度又は傾き方向又は傾き速度の少なくとも１つを検出することを特徴とする請求項１記載の電子装置。
［請求項３］
前記第２の検出手段は、装置本体の加速度を検出することを特徴とする請求項１記載の電子装置。
［請求項４］
前記制御手段は、前記第２の検出手段により装置本体の傾きが検出された場合、前記第１の検出手段によりタッチが検出されたアイテムを、前記装置本体の傾きに応じて表示変化させることを特徴とする請求項１ないし３いずれか記載の電子装置。
［請求項５］
前記アイテムは、カレンダ表示を構成する要素であって、年月日、時刻を含み、前記制御手段は、年月日のアイテムへのタッチが検出され、かつ、前記装置本体の傾きが検出された時には、年月日の表示修正を行い、時刻のアイテムへのタッチが検出され、かつ、装置本体の傾きが検出された時には、時刻の表示修正を行うことを特徴とする請求項１記載の電子装置。
［請求項６］
タッチを検出する第１の検出手段を備え複数のアイテムを表示する表示部と、前記表示部が設けられた装置本体の状態変化を検出する第２の検出手段とを備える電子装置が有するコンピュータを、
前記両検出手段により、いずれかのアイテムへのタッチが検出され、かつ、前記装置本体の状態変化が検出されたことを条件として、当該タッチが検出されたアイテムを表示変化させる制御手段と
して機能させることを特徴とするプログラム。
［請求項７］
複数のアイテムを表示する表示部を有する装置の表示制御方法であって、
前記アイテムへのタッチを検出する第１の検出工程と、
前記表示部が設けられた装置本体の状態変化を検出する第２の検出工程と、
前記両検出工程で、いずれかのアイテムへのタッチが検出され、かつ、前記装置本体の状態変化が検出されると、当該タッチが検出されたアイテムを表示変化させる制御工程とを含むことを特徴とする表示制御方法。
【符号の説明】
【００７３】
１      リスト端末装置
３      制御部
４      ＲＡＭ
５      ＲＯＭ
６      ＲＴＣ
７      入力部
７ａ    操作スイッチ
８      加速度計
９      表示駆動部
１０      表示部
１１      タッチパネル
１００      メガネ型情報機器
１００Ａ    本体部
１００Ｂ    蔓部
１００Ｃ    耳かけ部
１１０      ＣＰＵ
１１２      プログラムメモリ
１１４      ワークメモリ
１１６      カメラ部
１２０      画像メモリ
１２２      センサ部
１２４      ＧＰＳ部
１２６      時計部
１２８      センサ制御部
１３０      センサメモリ
１３２      表示制御部
１３４      投影部
１３６      スクリーン
１３８      操作部
１３８      マイク部
１３９      マイク制御部
１４０      メモリ部
１４４      入力制御部
１４６      通信制御部
１４８      Ｉ／Ｏ部
１５０      制御部
１６０      視線検知部
２００      仮想スクリーン
３００      カメラシステム
３０１      撮像部
３０２      モニタ部
３１１      撮像デバイス
３１３      通信制御部
３１４      センサ部
３２２      記憶部
３２３      表示部
３２４      操作部
３２５      センサ部
Ｉ１０１    年アイテム
Ｉ１０２    月アイテム
Ｉ１０３    日アイテム
Ｉ１０４    曜日アイテム
Ｉ１０５    時アイテム
Ｉ１０６    分アイテム
ＩＣ１、ＩＣ２、ＩＣ３    アイコン
ＩＣＨ１、ＩＣＨ２、ＩＣＨ３    ホームボタン
Ｉ２０１    歩数アイテム
Ｉ２０２    時速アイテム
Ｉ２０３    曲名アイテム
Ｉ２０４    ボリュームアイテム
Ｉ２１１    シャッタスピードアイテム
Ｉ２１２    絞りアイテム
Ｉ２１３    フレームレートアイテム
【図１Ａ】
0006024725.tif 000002
【図１Ｂ】
0006024725.tif 000003
【図２Ａ】
0006024725.tif 000004
【図２Ｂ】
0006024725.tif 000005
【図３Ａ】
0006024725.tif 000006
【図３Ｂ】
0006024725.tif 000007
【図４】
0006024725.tif 000008
【図５】
0006024725.tif 000009
【図６】
0006024725.tif 000010
【図７】
0006024725.tif 000011
【図８】
0006024725.tif 000012
【図９Ａ】
0006024725.tif 000013
【図９Ｂ】
0006024725.tif 000014
【図９Ｃ】
0006024725.tif 000015
【図１０】
0006024725.tif 000016
【図１１Ａ】
0006024725.tif 000017
【図１１Ｂ】
0006024725.tif 000018
【図１１Ｃ】
0006024725.tif 000019